(57)【要約】【課題】レコード巻きテープを縦に置いてテープを取り出した場合、そのテープが水平になるまでに距離があり、寸法を測る際に不便である事であるため、その距離をできるだけ短くする。【解決手段】先が斜め上を向いたコの字型でテープの軌道を縦から斜め向きにし、地面に接触しており、地面との間に隙間のあるＵ字型の部品の下をテープをくぐらせることで、テープの軌道を完全に横向きにする。【選択図】図１
2019156637.tif 000002
【特許請求の範囲】
【請求項１】
レコード巻きテープから引き出されたテープを保持するためのテープ供給装置であって、
断面視をコ字状とするコ字型部品と、
前記コ字型部品の折り返し部分と傾斜姿勢で固定され、平面視をＵ字状に形成し、かつ水平な床面に置いた状態で、床面との間で隙間を形成するようコ字状に形成されたＵ字型部品と
を備え、
レコード巻きテープを、その巻き取り軸が垂直姿勢となる状態に床面に置き、かつ該レコード巻きテープの側面に、前記Ｕ字型部品を床面に置いた状態で、前記コ字型部品のコ字状部分を傾斜姿勢で突出させ、この状態でレコード巻きテープから引き出されたテープを前記コ字状部分に挿入し、さらにテープの先端を、前記Ｕ字型部品と床面との間に形成される隙間に挿入して引き出し可能に構成していることを特徴とするテープ供給装置。
【請求項２】
請求項１に記載のテープ供給装置であって、
寸法は先が斜め向きになっているコの字型が５０ミリメートル、コの字型の隙間は２ミリメートル、コの字型の足の角度は３０度、コの字型の折り返し地点は水平に１０ミリメートル、幅は７ミリメートルであることを特徴とするテープ供給装置。
【請求項３】
請求項２に記載のテープ供給装置であって、
Ｕ字型の部品の寸法は厚さが７ミリメートル、Ｕの折り返し部分が部品の厚さを考慮せずに３０ミリメートル、地面との隙間が縦に２ミリメートル、横に６０ミリメートルであることを特徴とするテープ供給装置。
【発明の詳細な説明】
【技術分野】
【０００１】  本発明は、レコード巻きテープをねじれることなく供給できるテープ供給装置に関するものである。
【背景技術】
【０００２】  レコード巻きテープを供給するテープ供給装置が開発されている（例えば特許文献１）。このようなテープ供給装置では、レコード巻きテープを縦に置いてテープを取り出そうとする。すると、はじめテープが縦の状態で出てくる。そして、少し長くなったところでテープが縦から横になる。【０００３】  しかし、このテープが縦から横になるまでに長い距離を要することが問題となっている。この距離はテープが縦から横になる過程であるため、その部分は正確な長さを測定することが出来ない。そこで欲しいテープ長さを得るためにはテープが完全に横になるまでテープを伸ばさなければならない。するとその分だけテープを伸ばす為のスペースが必要になってしまい、不便であった。
【先行技術文献】
【特許文献】
【０００４】
【特許文献１】特開２０１５−２２４０８６号公報
【発明の概要】
【発明が解決しようとする課題】
【０００５】  よって本発明者はこの距離を最短にし、テープを伸ばす距離を最小限にしようと考え、本発明を成すに至った。本発明が解決しようとする課題は、テープ供給装置からレコード巻きテープを縦に置いてテープを取り出した場合、そのテープが水平になるまでに距離があり、寸法を測る際に不便である事を解消したテープ供給装置を提供することである。
【課題を解決するための手段】
【０００６】  本発明に係るテープ供給装置は、レコード巻きテープから引き出されたテープを保持するためのテープ供給装置であって、断面視をコ字状とするコ字型部品と、前記コ字型部品の折り返し部分と傾斜姿勢で固定され、平面視をＵ字状に形成し、かつ水平な床面に置いた状態で、床面との間で隙間を形成するようコ字状に形成されたＵ字型部品とを備える。このテープ供給装置は、レコード巻きテープを、その巻き取り軸が垂直姿勢となる状態に床面に置き、かつ該レコード巻きテープの側面に、前記Ｕ字型部品を床面に置いた状態で、前記コ字型部品のコ字状部分を傾斜姿勢で突出させ、この状態でレコード巻きテープから引き出されたテープを前記コ字状部分に挿入し、さらにテープの先端を、前記Ｕ字型部品と床面との間に形成される隙間に挿入して引き出し可能に構成していることを特徴とする。
【発明の効果】
【０００７】  本発明によれば、レコード巻きテープを無駄に長く使用せずに、欲しい長さを測る事が出来るという利点が得られる。
【図面の簡単な説明】
【０００８】
【図１】図１は実施例１に係るテープ供給装置を示す斜視図である。
【図２】図２は図１のテープ供給装置の使用状態を示す斜視図である。
【図３】図３はコ字型部品の三面図である。
【図４】図４はＵ字型部品の三面図である。
【発明を実施するための形態】
【０００９】  本発明の実施例に係るテープ供給装置の斜視図を図１に、使用状態を図２に、それぞれ示す。これらの図に示すテープ供給装置１００は、断面視をコの字型としたコ字型部品１と、それを支えるＵ字型のＵ字型部品２を備える。Ｕ字型部品２は、コ字型部品１のコ字状の折り返し部分と傾斜姿勢で固定されている。またＵ字型部品２は平面視をＵ字状に形成している。このＵ字型部品２を水平な床面に置いた状態で、床面との間で隙間を形成するようコ字状に形成されている。またＵ字型部品２を水平面に置いた状態で、コ字型部品１は、コ字状に開口されたスリットが斜めの姿勢でＵ字型部品２から延伸されている。これらコ字型部品１とＵ字型部品２は、いずれも幅、高さが一定の立体であり、曲線は面取り以外存在しない。Ｕ字型部品２も折り返し部分は丸みを帯びてはおらず、直角に曲がっている。
【００１０】  このテープ供給装置１００は、先が斜め上を向いたコの字型をしている。図２に示すように、レコード巻きテープを、その巻き取り軸が垂直姿勢となる状態に床面に置いた状態で、このレコード巻きテープの側面に、テープ供給装置１００を置く。テープ供給装置１００は、Ｕ字型部品２を床面に置いた状態で、コ字型部品１のコ字状部分を傾斜姿勢で突出させている。この状態でレコード巻きテープから引き出されたテープを、コ字状部分１に挿入し、さらにテープの先端を、Ｕ字型部品２と床面との間に形成される隙間に挿入して引き出し可能としている。このように、テープの軌道をまず斜め姿勢に固定されたコ字状部分１で縦から斜め向きにする。さらにＵ字型部品２で、地面との間に形成した隙間の下に、テープをくぐらせることで、テープの軌道を完全に横向きにすることができる。
【００１１】  ここで、コ字型部品１について説明する。コ字型部品１の三面図を、図３に示す。コ字型部品１は、綺麗なコの字型ではなく、折り返し部分から少しすると先が斜め上方向に伸びている。さらにその長さは長い。折り返し部分は先の延びに比べて短く、水平な向きで折り返されている。このコの字は地面に垂直に立てる形で使われる。つまり、折り返し部分は地面と平行になっており、少し伸びたところから、コの字型の先が２つとも重力に逆らうようにして、斜め上方向に伸びている。
【００１２】  次にＵ字型部品２について説明する。Ｕ字型部品２の三面図を、図４に示す。Ｕ字型部品２の内、コの字型の土台になる部品はＵ字型をしており、上から見ると平面にＵという形になる。上記でも述べたようにＵ字型の折り返し部分は丸みを帯びておらず、直角におり曲がっている。Ｕ字型を上から見て、折り返し部分を手前になるように置いた時にＵ字型の左の直線の上にコの字型を置く感じになる。コの字型の先の部分は手前に向かうようにし、コの字型の折り返し部分がＵ字型の左の直線の先の上に来るようにする。よってコの字型の幅とＵ字型の左側の直線の幅は等しくなっている。
【００１３】  その幅は７ミリメートルである。コ字型は全体を通して、７ミリメートルであり、Ｕ字型も折り返し部分と右側の直線の幅も７ミリメートルである。
【００１４】  さらにＵ字型は右側の直線を除いて、厚さが地面から５ミリメートルの立体である。右の直線は先端から７ミリメートルの部分と折り返し地点から７ミリメートルの間に挟まれた部分は厚さが５ミリメートルではなく、２ミリメートルになっている。それも地面と接触せずに２ミリメートルである。つまり地面との間に隙間ができており、Ｕ字型の右直線は幅の広いトンネルのようになっている。
【００１５】  さらに各寸法について詳しく説明していく。コの字型は厚さは５ミリメートルであり、Ｕ字型と同じ厚さである。
【００１６】  コの字型の斜め上に向いている先端の長さは５０ミリメートルあり、そのコの字型の隙間は２ミリメートルである。先端の斜め上への角度は地面と３０度の角度をなしている。折り返し部分は地面に水平に１０ミリメートルである。よって折り返し部分の地面からの高さは厚さと隙間のため５＊２＋２＝１２ミリメートルである。
【００１７】  材質はアルミである。これは比較的加工が簡単でかつ本発明の実施例に係るテープ供給装置に必要な自重があるからである。
【００１８】  次に本発明の実施例に係るテープ供給装置の使い方について、図２を参照しながら説明する。
【００１９】  まず本発明の実施例に係るテープ供給装置のＵ字型の折り返し部分が手前になるように置き、上から見たときにＵ字型の部品がＵという状態になっているように置く。すると必然的にコの字型の部品はＵの文字の左直線上に乗っている状態となる。この状態の時にレコード巻きテープＲＴをコの字型部品の左側に接するように置く。この時レコード巻きテープＲＴは転がらないように円の面を地面と接するように置く。
【００２０】  そして、レコード巻きテープＲＴのテープＴＰを引っ張る。この時にテープＴＰをコの字型の隙間に通して、次にＵ字型部品の隙間に通す。
【００２１】  これによってテープＴＰを引っ張りだした際にテープＴＰが縦の状態から横になるまでの距離が短くなる。
【００２２】  まず、コの字型にテープＴＰを通す理由について述べる。それは、テープＴＰをより横向きにしやすくするためである。
【００２３】  斜め上方向を向いているコの字型にテープＴＰを通すことによってテープＴＰの起動が斜め向きになる。よって、テープＴＰの起動を縦から横にするためにまず軌道を斜め向きにした。
【００２４】  次にテープＴＰをＵ字型の隙間に通す理由について述べる。それはテープＴＰの起動を完全に横向きにするためである。テープＴＰを引っ張った際にテープＴＰは縦に戻ろうとする。しかしテープＴＰの上にＵ字型の部品が覆いかぶさっている為、テープＴＰは縦向きになることは出来ず、結果として完全な横向きになる。
【００２５】  次に各部品の寸法の理由を述べる。コの字型の先の角度を３０度にした理由は、この角度がスムーズにテープを引っ張りだすことができ、かつテープをできる限り横向きにすることが出来るからである。
【００２６】  この斜め方向の角度が大きすぎるとテープをスムーズに引っ張りだすことは出来るが、テープを横に直しにくい。その上、テープの形状を縦から横に短距離で変えるという本発明の主旨に反する。反対に、この角度が小さすぎるとテープ自身が急激な角度の変化に耐えられず、クシャクシャと歪んでしまいスムーズに移動が出来なくなる。
【００２７】  またコの字型の折り返し部分を水平にした理由は、コの字型の折り返し地点ではテープを水平になるように誘導してもテープが歪むことはないからである。コの字型自体を水平にするとテープ自身が急激な角度変化に耐えられずクシャクシャと歪みスムーズに動かなくなる。しかしコの字型の折り返し部分だけを水平にするならば、その折り返し部分を通るテープを斜め軌道をさせなくても直接水平軌道にすることが出来る。
【００２８】  テープの通り道であるコの字型の隙間幅を２ミリメートルにした理由について説明する。これはテープをいれて引っ張った際のコの字型の部品のテープの制御しやすさとテープの出し入れのしやすさという観点からこの長さを採用した。隙間幅が広すぎるとテープが隙間幅の中でめくれたりし、きれいにテープを誘導することができない。しかし、隙間幅が狭すぎるのではテープをコの字型の隙間幅に通すのにやりにくい。よってこれらを考慮した結果２ミリメートルとした。
【００２９】  コの字型の斜め方向の長さが５０ミリメートルである理由について説明する。理由は一般的なレコード巻きテープの幅が５０ミリメートルであるからである。よってそれよりも長い必要はないと考え、５０ミリメートルとした。
【００３０】  次にＵ字型の寸法の理由について述べる。Ｕ字型の折り返し部分の長さは３０ミリメートルである。（図４、Ｈ）理由はこの距離が短いとテープが自身の軌道の急激な変化に耐えきれずにめくれたりし、Ｕ字型の部品で押さえつける事は出来てもスムーズに引き出す事は出来ない。しかし、この距離が長いとテープの向きが変わるのが遅くなり本発明の主旨であるテープを縦のから横向きに素早く変えるという目的が達成せれにくくなる。よってこれらを考慮し３０ミリメートルが適切だと判断した。
【００３１】  ここで実施例に係るテープ供給装置の使用方法をまとめると、以下の通りとなる。
（１）レコード巻きテープをコの字型の部品に接するように立てて置く
（２）コの字型部分にテープを通す
（３）次にＵ字型がテープをまたぐように部品２を置く
（４）テープの端を引っ張る
（５）その際にテープ供給装置によりテープがすぐに縦向きから横向きになる
【００３２】  コの字型部品の隙間にテープを通すことによってテープが横向きになるように軌道を制御する。さらにテープの上にＵ字型が被さるようにすることでテープを完全に横向きにする。あとはテープを引っ張るとコの字Ｕ字型の部品がテープの軌道を制御しテープがすぐに縦から横になる。
【００３３】  またテープを引き出すとレコードテープ自体が回転し、動くという問題がある。しかし、テープ供給装置の自重を重くし、レコードテープに接触させることによりその問題を解決する。自重が重いのでレコードテープに押されても耐えることが出来る。
【００３４】  このように、実施例に係るテープ供給装置によれば、テープの長さを測れない部分が減り、無駄にテープを出さなくて良くなる。
【符号の説明】
【００３５】１００  テープ供給装置
１  コ字型部品
２  Ｕ字型部品
ＲＴ  レコード巻きテープ
ＴＰ  テープ
【図１】
2019156637.tif 000003
【図２】
2019156637.tif 000004
【図３】
2019156637.tif 000005
【図４】
2019156637.tif 000006